(57)【特許請求の範囲】
【請求項１】
建設機械であって、
ベースフレームと、
前記ベースフレーム上に立設された第１縦板と、
前記第１縦板と対向するように前記ベースフレーム上に立設された第２縦板と、
前記第１縦板を貫通して当該第１縦板から前記第２縦板と反対側に突出した状態で前記第１縦板に取り付けられた第１端部と、前記第２縦板に取り付けられた第２端部と、を有する連結ピンと、
前記連結ピンにより回転可能に支持されたアタッチメントと、
前記ベースフレーム上において前記第１縦板を基準として前記第２縦板と反対側に設けられたキャブと、を備え、
前記キャブは、前記ベースフレーム上に支持された支持フレームと、支持フレーム上に立設された柱と、前記柱に取り付けられた側面パネルと、前記柱から前記側面パネルに沿って延びて前記支持フレームに接続された梁と、を有し、
前記側面パネルは、前記梁と前記第１縦板との間に設けられているとともに前記連結ピンの軸方向に沿って見る視点において当該連結ピンと重なりかつ前記梁よりも上に形成された開口を有する外側パネルと、前記開口を閉じた状態で前記外側パネルにおける前記第１縦板と反対側の内側面に固定された内側パネルと、を有し、
前記内側パネルは、前記視点において前記開口を覆う形状を有するパネル本体と、前記パネル本体の水平方向の両端部から当該パネル本体と交差する方向で前記外側パネル側に延びる一対の延設部と、を有し、
前記パネル本体及び前記延設部の下端面は、前記梁の上面に接触した状態で当該梁に接合されているとともに、前記一対の延設部の先端面は、前記外側パネルの内側面に接触した状態で当該外側パネルに接合されている、建設機械。
【請求項２】
請求項１に記載の建設機械であって、
前記外側パネルは、パネル下部と、前記パネル下部の上に設けられ、前記パネル下部よりも前記第１縦板から離れた位置に配置されたパネル上部と、前記パネル下部と前記パネル上部との間に設けられた段差部と、を有し、
前記開口は、前記段差部を介して前記パネル下部と前記パネル上部とに亘って設けられ、
前記内側パネルの延設部は、それぞれ前記パネル下部の内側面に接合され、
前記内側パネルのパネル本体は、前記一対の延設部の上端よりも上に延びるとともに前記パネル上部における前記開口の上縁部に取り付けられた上端部を有する、建設機械。
【請求項３】
請求項２に記載の建設機械であって、
前記キャブは、前記外側パネルの段差部上に配置された下端部を有する窓をさらに備えている、建設機械。
【請求項４】
請求項１〜３の何れか１項に記載の建設機械であって、
前記外側パネルの内側面は、前記梁の前記第１縦板側を向く面に接触した状態で当該梁に接合されている、建設機械。
【請求項５】
請求項４に記載の建設機械であって、
前記梁は、前記柱の途中部から斜め下向きに延びて前記支持フレームに接合され、
前記開口は、当該開口の下端が前記梁の上面に沿って延びるような形状を有する、建設機械。
【請求項６】
請求項１〜５の何れか１項に記載の建設機械であって、
前記キャブは、前記外側パネルの前記第１縦板側を向く外側面における前記開口の下縁部に接合された被接合部と前記被接合部の上端から上に向かうに従い前記内側パネルのパネル本体に近づく方向に延びるとともに当該パネル本体に接触する水除け部とを有する水除け部材をさらに備えている、建設機械。
【発明の詳細な説明】
【技術分野】
【０００１】
本発明は、ベースフレームと、ベースフレームに対して回動可能に支持されたアタッチメントと、ベースフレーム上に設けられたキャブと、を有する建設機械に関する。
【背景技術】
【０００２】
従来から、上記建設機械として、例えば、特許文献１に記載の油圧ショベルが知られている。
【０００３】
この油圧ショベルは、ベースフレーム（旋回フレーム）と、左右方向に対向するようにベースフレーム上に立設された一対の縦板と、各縦板に取り付けられた端部を有する連結ピンと、連結ピンにより回転可能に支持されたアタッチメントと、ベースフレーム上に設けられたキャブと、を備えている。
【０００４】
キャブは、両縦板の左側に設けられている。また、キャブは、防振材等を介してベースフレーム上に支持されており、これにより、キャブは、当該ベースフレームに対する揺動が許容されている。
【０００５】
一方、連結ピンの左端部は、左の縦板からキャブ側（左側）に突出する。
【０００６】
したがって、キャブが揺動するときに当該キャブの右側面が連結ピンの左端部に接触するおそれがある。
【０００７】
そこで、特許文献１に記載の油圧ショベルにおいては、キャブの右側面に連結ピンの左端部が接触を回避するための窪みが形成されている。
【０００８】
具体的に、キャブは、ベースフレーム上に支持された支持フレーム（ベース枠）と、支持フレーム上に立設された柱と、柱に取り付けられた側面パネルと、を有している。
【０００９】
側面パネルは、左の縦板に対向する外側パネルと、外側パネルの左側に設けられた内側パネルと、を有する。
【００１０】
外側パネルは、下側部分（大径部位）と、下側部分の上で当該下側部分よりも左の縦板から離れて配置された上側部分（ガラス取付枠の一部）と、下側部分と上側部分とを接続する段部と、を有する。外側パネルの上側部分は、連結ピンと対向する部分を有し、この部分が連結ピンとの接触を避けるための窪みとして利用されている。
【００１１】
一方、内側パネルは、外側パネルの上側部分に沿って配置されているとともに当該上側部分に固着された固着部分を有している。
【先行技術文献】
【特許文献】
【００１２】
【特許文献１】国際公開第２０１４／１３３００２号公報
【発明の概要】
【発明が解決しようとする課題】
【００１３】
しかしながら、特許文献１に記載の油圧ショベルでは、側面パネルにおいて窪みとして利用される部分が互いに密着する２枚の平坦な板材（外側パネルの上側部分及びこれに沿って配置された内側パネルの固着部分）によって形成されている。
【００１４】
そのため、窪みとして利用される部分について側面パネルの曲げ剛性を十分に確保することが難しい。
【００１５】
本発明の目的は、キャブの側面パネルにおける連結ピンとの接触を避けるための窪みとして利用される部分に十分な曲げ剛性を確保することができる建設機械を提供することにある。
【課題を解決するための手段】
【００１６】
上記課題を解決するために本発明は、建設機械であって、ベースフレームと、前記ベースフレーム上に立設された第１縦板と、前記第１縦板と対向するように前記ベースフレーム上に立設された第２縦板と、前記第１縦板を貫通して当該第１縦板から前記第２縦板と反対側に突出した状態で前記第１縦板に取り付けられた第１端部と、前記第２縦板に取り付けられた第２端部と、を有する連結ピンと、前記連結ピンにより回転可能に支持されたアタッチメントと、前記ベースフレーム上において前記第１縦板を基準として前記第２縦板と反対側に設けられたキャブと、を備え、前記キャブは、前記ベースフレーム上に支持された支持フレームと、支持フレーム上に立設された柱と、前記柱に取り付けられた側面パネルと、前記柱から前記側面パネルに沿って延びて前記支持フレームに接続された梁と、を有し、前記側面パネルは、前記梁と前記第１縦板との間に設けられているとともに前記連結ピンの軸方向に沿って見る視点において当該連結ピンと重なりかつ前記梁よりも上に形成された開口を有する外側パネルと、前記開口を閉じた状態で前記外側パネルにおける前記第１縦板と反対側の内側面に固定された内側パネルと、を有し、前記内側パネルは、前記視点において前記開口を覆う形状を有するパネル本体と、前記パネル本体の水平方向の両端部から当該パネル本体と交差する方向で前記外側パネル側に延びる一対の延設部と、を有し、前記パネル本体及び前記延設部の下端面は、前記梁の上面に接触した状態で当該梁に接合されているとともに、前記一対の延設部の先端面は、前記外側パネルの内側面に接触した状態で当該外側パネルに接合されている、建設機械を提供する。
【００１７】
本発明によれば、パネル本体と交差する方向に延びる一対の延設部の先端面が外側パネルの内側面に接触した状態で当該外側パネルに接合されている。そのため、側面パネルにおいて連結ピンの第１端部との接触を回避するための窪みとして利用される部分（開口を有する部分）を複数方向に延びる面材（パネル本体、一対の延設部、及び外側パネル）によって箱状に形成することができる。したがって、特許文献１に記載のように２枚の平坦なパネルによって窪みとして利用される部分を構成する場合と比較して、側面パネルにおいて窪みとして利用される部分の曲げ剛性を向上することができる。
【００１８】
さらに、本発明では、パネル本体及び延設部の下端面が梁の上面に接触した状態で当該梁に接合されていることにより、パネル本体と延設部との形状を確実に保持することができ、これによっても上述した曲げ剛性の向上効果を高めることができる。
【００１９】
したがって、本発明によれば、キャブの側面パネルにおける連結ピンとの接触を避けるための窪みとして利用される部分に十分な曲げ剛性を確保することができる。
【００２０】
前記建設機械において、前記外側パネルは、パネル下部と、前記パネル下部の上に設けられ、前記パネル下部よりも前記第１縦板から離れた位置に配置されたパネル上部と、前記パネル下部と前記パネル上部との間に設けられた段差部と、を有し、前記開口は、前記段差部を介して前記パネル下部と前記パネル上部とに亘って設けられ、前記内側パネルの延設部は、それぞれ前記パネル下部の内側面に接合され、前記内側パネルのパネル本体は、前記一対の延設部の上端よりも上に延びるとともに前記パネル上部における前記開口の上縁部に取り付けられた上端部を有することが好ましい。
【００２１】
この態様によれば、パネル下部及びパネル上部と異なる方向に延びる段差部がパネル下部とパネル上部との間に設けられているため、外側パネルの曲げ剛性が向上する。
【００２２】
しかも、パネル上部はパネル下部よりも第１縦板から離れた位置、つまり、内側パネルに近い位置に設けられているため、延設部がパネル下部の内側面に接合されていることにより当該パネル下部から離れて配置されるパネル本体の上端部の外側パネルに対する取り付けを容易に行うことができる。
【００２３】
前記建設機械において、前記キャブは、前記外側パネルの段差部上に配置された下端部を有する窓をさらに備えていることが好ましい。
【００２４】
この態様によれば、外側パネルの段差部を、窓の下端部を嵌め込む部分として利用することにより、当該窓の外側面とパネル下部の外側面とを揃えて見栄えを向上することができる。
【００２５】
前記建設機械において、前記外側パネルの内側面は、前記梁の前記第１縦板側を向く面に接触した状態で当該梁に接合されていることが好ましい。
【００２６】
この態様によれば、外側パネルにおける開口の下側の部分の曲げ剛性を向上することができるため、側面パネルの曲げ剛性をより向上することができる。
【００２７】
ここで、柱の途中部から斜め下向きに延びて支持フレームに接合される梁を採用することにより、当該梁によって柱の支持フレームに対する傾動を規制することができる。
【００２８】
この場合、開口の下端が梁の上面に沿わないような形状を開口が有していてもよいが、このようにすると開口と梁とを近づけることが難しい。そのため、開口から比較的離れた位置で外側パネルと梁とを接合せざるを得ず、曲げ剛性で不利となる開口付近において外側パネルの曲げ剛性を向上することが難しい。
【００２９】
そこで、前記建設機械において、前記梁は、前記柱の途中部から斜め下向きに延びて前記支持フレームに接合され、前記開口は、当該開口の下端が前記梁の上面に沿って延びるような形状を有することが好ましい。
【００３０】
この態様によれば、開口の下端が梁の上面に沿って延びるような形状を開口が有することにより当該開口と梁とを近づけることができるため、曲げ剛性で不利となる開口付近において外側パネルの曲げ剛性を向上することができる。
【００３１】
上記のようにパネル本体及び延設部の下端面が梁の上面に接触していると、開口内にパネル本体、延設部、及び梁により区画されるポケットが形成され、このポケットに雨水等が溜まってしまうおそれがある。
【００３２】
そこで、前記建設機械において、前記キャブは、前記外側パネルの前記第１縦板側を向く外側面における前記開口の下縁部に接合された被接合部と前記被接合部の上端から上に向かうに従い前記内側パネルのパネル本体に近づく方向に延びるとともに当該パネル本体に接触する水除け部とを有する水除け部材をさらに備えていることが好ましい。
【００３３】
この態様によれば、パネル本体、延設部、及び梁により区画されるポケットに上方から入り込もうとする雨水等を水除け部に沿ってポケットの外側（被接合部側）に導くことができる。
【発明の効果】
【００３４】
本発明によれば、キャブの側面パネルにおける連結ピンとの接触を避けるための窪みとして利用される部分に十分な曲げ剛性を確保することができる。
【図面の簡単な説明】
【００３５】
【図１】本発明の実施形態に係る油圧ショベルの全体構成を示す側面図である。
【図２】図１に示されるキャブに設けられたキャブフレームを示す斜視図である。
【図３】図１に示されるキャブの側面断面図である。
【図４】図３の一部を拡大して示す分解斜視図である。
【図５】図１に示されるキャブのアタッチメント側から見たときの側面図である。
【図６】図５の符号ＶＩで指示された部分を拡大して示す側面図である。
【図７】図６のＶＩＩ−ＶＩＩ線断面図である。
【図８】図６のＶＩＩＩ−ＶＩＩＩ線断面図である。
【図９】図６のＩＸ−ＩＸ線断面図である。
【図１０】本発明の実施形態の変形例を示す図８相当図である。
【図１１】本発明の実施形態の変形例を示す図９相当図である。
【発明を実施するための形態】
【００３６】
以下添付図面を参照しながら、本発明の実施の形態について説明する。なお、以下の実施の形態は、本発明を具体化した例であって、本発明の技術的範囲を限定する性格のものではない。
【００３７】
図１を参照して、本発明の建設機械の一例としての油圧ショベル１は、クローラ２ａを有する下部走行体２と、下部走行体２上に旋回可能に設けられた上部旋回体３と、上部旋回体３に取り付けられたアタッチメント４と、を備えている。
【００３８】
アタッチメント４は、上部旋回体３に対して回動可能に取り付けられた基端部を有するブーム５と、ブーム５の先端部に対して回動可能に取り付けられた基端部を有するアーム６と、アーム６の先端部に対して回動可能に取り付けられたバケット７と、を有する。
【００３９】
さらに、アタッチメント４は、上部旋回体３に対してブーム５を回動させるブームシリンダ８と、ブーム５に対してアーム６を回動させるアームシリンダ９と、アーム６に対してバケット７を回動させるバケットシリンダ１０と、を有する。
【００４０】
上部旋回体３は、下部走行体２上に旋回可能に設けられたベースフレーム１１と、ベースフレーム１１上に立設された左縦板（第１縦板：図９参照）１１ｂと、左縦板１１ｂと対向するようにベースフレーム１１上に立設された右縦板（第２縦板）１１ａと、両縦板１１ａ、１１ｂを貫通する連結ピン５ａと、ベースフレーム１１上において左縦板１１ｂを基準として右縦板１１ａと反対側（左側）に設けられたキャブ１２と、を備えている。
【００４１】
なお、本明細書で使用される方向は、キャブ１２内に設けられた図外の運転席に着座したオペレータから見た方向を基準とする。
【００４２】
連結ピン５ａは、左右方向に延びるとともに前記アタッチメント４（ブーム５）の基端部を回転可能に支持する。
【００４３】
また、連結ピン５ａは、図９に示すように、左縦板１１ｂを貫通して当該左縦板１１ｂから右縦板１１ａと反対側（左側）に突出した状態で左縦板１１ｂに取り付けられた左端部（符号省略）と、右縦板１１ａを貫通して当該右縦板１１ａから左縦板と反対側（右側）に突出した状態で右縦板１１ａに取り付けられた右端部（符号省略）と、を有している。
【００４４】
このように連結ピン５ａの左端部は、左縦板１１ｂからキャブ１２側（左側）に突出した状態で縦板１１ａ、１１ｂに取り付けられており、キャブ１２は、図外の防振マウント等を介して揺動可能な状態でベースフレーム１１上に支持されている。
【００４５】
したがって、キャブ１２が搖動したときに当該キャブ１２の右側面に連結ピン５ａの左端部が接触するおそれがあり、この接触を避けるための窪み（図９の開口３３内の空間）がキャブ１２に設けられている。
【００４６】
以下、図２〜図５を参照して、キャブ１２について説明する。
【００４７】
キャブ１２は、当該キャブ１２の基本的骨格を構成するキャブフレーム１３と、キャブフレーム１３の右側に取り付けられた側面パネル１４と、側面パネル１４に取り付けられた窓１５と、を備えている。なお、キャブフレーム１３の左側及び後側にも側面パネルが設けられており、左側の側面パネル及びキャブフレーム１３の前側には窓が設けられているが、これらの構成の図示及び説明を省略する。
【００４８】
キャブフレーム１３は、防振マウント等を介してベースフレーム１１上に支持された支持フレーム１６と、支持フレーム１６の右前部上に立設された右前柱（柱の一例）１７と、支持フレーム１６の左前部上に立設された左前柱１８と、支持フレーム１６の右後部上に立設された右後柱（柱の一例）１９と、支持フレーム１６の左後部上に立設された左後柱２０と、を備えている。
【００４９】
支持フレーム１６は、前後方向に延びる略長方形に形成されている。具体的に、支持フレーム１６は、ベースフレーム１１の前部で左右方向に延びる前部１６ａと、前部１６ａの右端部から後ろに延びる右部１６ｃと、前部１６ａの左端部から後ろに延びる左部１６ｄと、右部１６ｃの後端部及び左部１６ｄの後端部に接続されているとともに左右方向に延びる後部１６ｂと、を有する。
【００５０】
右前柱１７は、キャブフレーム１３から少し後ろに傾斜しつつ上に延びる縦部１７ａと、縦部１７ａの上端部から後ろに延びる横部１７ｂと、を有する。
【００５１】
左前柱１８は、キャブフレーム１３から少し後ろに傾斜しつつ上に延びる縦部１８ａと、縦部１８ａの上端部から後ろに延びる横部１８ｂと、を有する。
【００５２】
右後柱１９は、キャブフレーム１３から上に延びるとともに右前柱１７の横部１７ｂの後端部に接続された上端部を有する。
【００５３】
左後柱２０は、キャブフレーム１３から上に延びるとともに左前柱１８の横部１８ｂの後端部に接続された上端部を有する。
【００５４】
また、キャブフレーム１３は、支持フレーム１６における左後柱２０の少し前の部分上に立設されているとともに左前柱１８の横部１８ｂに接続された上端部を有する左中間柱２１と、左中間柱２１と左後柱２０とを接続する左梁２３と、右後柱１９から側面パネル１４に沿って延びて支持フレーム１６に接続された右梁２２と、を有する。
【００５５】
左梁２３は、左中間柱２１と左後柱２０とを接続することにより当該両梁２０、２１の支持フレーム１６に対する傾動を規制する。
【００５６】
右梁２２は、右後柱１９の途中部から斜め下向きに（前向きに）延びて支持フレーム１６（右部１６ｃの途中部）に接合されている。具体的に、右梁２２の後端面は、右後柱１９の前面に接触した状態で当該右後柱１９に接合されている。一方、右梁２２の下端面は、支持フレーム１６の上面に対して接触した状態で当該支持フレーム１６に接合されている。これにより、右梁２２は、右後柱１９の支持フレーム１６に対する傾動を規制する。
【００５７】
さらに、キャブフレーム１３は、両前柱１７、１８の縦部１７ａ、１８ａの上端部同士を接続する前梁２４と、両後柱１９、２０の上端部同士を接続する後梁２５と、を有する。
【００５８】
図３〜図５に示すように、側面パネル１４は、右梁２２の全体が覆わるようにキャブフレーム１３の右側から当該キャブフレーム１３に取り付けられている。また、側面パネル１４は、右前柱１７から右後柱１９までの前後方向の範囲内に設けられているとともに、支持フレーム１６から右前柱１７及び右後柱１９の略半分の高さ位置までの上下方向の範囲内に設けられている。キャブフレーム１３における側面パネル１４の上には当該キャブフレーム１３の右側から窓１５が取り付けられている。
【００５９】
具体的に、側面パネル１４は、右梁２２と左縦板１１ｂ（図９参照）との間に設けられた外側パネル２６と、外側パネル２６における左縦板１１ｂと反対側の内側面（左側面）に固定された内側パネル２７と、を有している。
【００６０】
外側パネル２６は、支持フレーム１６、右前柱１７、及び右後柱１９に接合されている。また、外側パネル２６は、パネル下部３０と、パネル下部３０の上に設けられ、パネル下部３０よりも左縦板１１ｂから離れた位置（左側の位置）に配置されたパネル上部３１と、パネル下部３０とパネル上部３１との間に設けられた段差部３２と、を有する。
【００６１】
パネル下部３０は、右梁２２の右側面（前後及び上下方向の面）に沿って右前柱１７から右後柱１９まで延びている。また、パネル下部３０は、図７及び図８に示すように、その左側面が右梁２２の左縦板１１ｂ側を向く面（右側面）に接触した状態で当該右梁２２に接合されている。
【００６２】
パネル上部３１は、パネル下部３０と略平行に延びている。
【００６３】
段差部３２は、パネル下部３０の上端部とパネル上部３１の下端部とを接続する。具体的に、段差部３２は、パネル下部３０の上端部からパネル上部３１の下端部に向けて少し上に傾斜している。これにより、段差部３２上に雨水等が溜まるのを抑制することができる。
【００６４】
また、段差部３２により規定されるパネル下部３０とパネル上部３１との左右方向の間隔は、窓１５の厚みと同等又はこれよりも大きく設定されている。そして、段差部３２上には、窓１５の下端部が配置されている。これにより、窓１５の左縦板１１ｂ側の面が外側パネル２６のパネル下部３０から突出するのを防止して、見栄えを向上することができる。なお、符号４０は、窓１５の下端部と側面パネル１４（後述する外側パネル２６）との間に設けられたシール部材を指示する。
【００６５】
図３〜図６に示すように、外側パネル２６は、連結ピン５ａの軸方向に沿って見る視点（左右方向に沿って見る視点。以下、単に側面視という。）において当該連結ピン５ａと重なりかつ右梁２２よりも上に形成された開口３３をさらに有する。開口３３は、段差部３２を介してパネル下部３０とパネル上部３１とに亘って形成されている。
【００６６】
具体的に、開口３３は、右梁２２の上面２２ａに沿って延びる底辺部と、底辺部の前端及び後端からそれぞれ上面２２ａと直交する方向に延びる一対の側辺部と、両側辺部の上端同士を繋ぐ円弧上の上辺部と、により定義される形状を有する。このように開口３３は、当該開口３３の下端部（底辺部）が右梁２２の上面２２ａに沿って延びるような形状を有している。そして、開口３３の底辺部は、右梁２２に対して近接して配置されている。
【００６７】
内側パネル２７は、開口３３を閉じた状態で外側パネル２６における左縦板１１ｂと反対側（左側）の内側面に固定されている。以下、図４、図６〜図９を参照して、内側パネル２７について説明する。
【００６８】
内側パネル２７は、側面視において開口３３を覆う形状を有するパネル本体３４と、パネル本体３４の水平方向（前後方向）の両端部からパネル本体３４と交差する方向で外側パネル２６側（右側）に延びる一対の延設部３５、３６と、を有する。
【００６９】
パネル本体３４は、右梁２２の上面２２ａに沿って延びる底辺部と、底辺部の前端及び後端からそれぞれ上面２２ａと直交する方向に延びる一対の側辺部と、両側辺部の上端部同士を繋ぐ円弧状の上辺部と、により定義される形状を有する。
【００７０】
一対の延設部３５、３６は、それぞれパネル本体３４と直交する方向に延びる（図９参照）。
【００７１】
そして、パネル本体３４及び延設部３５、３６の下端面２７ａは、図４、図７及び図８に示すように右梁２２の上面２２ａに接触した状態で当該右梁２２に溶接により接合されている。さらに、延設部３５、３６の先端面（右端面）３５ａ、３６ａは、図４及び図９に示すように外側パネル２６の内側面（パネル下部３０の内側面）、つまり、外側パネル２６における開口３３の前後の縁部３３ｂにそれぞれ接触した状態で外側パネル２６に接合されている。
【００７２】
これにより、図７〜図９に示されるように、側面パネル１４において連結ピン５ａの左端部との接触を回避するために窪みとして利用される部分（開口３３を有する部分）を複数方向に延びる面材（パネル本体３４、一対の延設部３５、３６、及び外側パネル２６）によって箱状に形成することができる。しかも、パネル本体３４及び両延設部３５、３６の下面が右梁２２の上面２２ａに接合されていることにより、パネル本体３４と延設部３５、３６との形状を確実に保持することができる。したがって、側面パネル１４の曲げ剛性を向上することができる。
【００７３】
さらに、内側パネル２７は、図４〜図８に示すように、延設部３５、３６の上端よりも上に延びるとともにパネル上部３１における開口３３の上縁部３３ｃの内側面に取り付けられた上端部３４ａを有している。
【００７４】
具体的に、側面パネル１４は、内側パネル２７の上端部３４ａと外側パネル２６の開口３３の上縁部３３ｃとの間に介在するスペーサ２８をさらに備えている。スペーサ２８は、図７及び図８に示すように、その上端部が内側パネル２７の上端部３４ａよりも上に突出した状態で当該上端部３４ａと重なり、かつ、スペーサ２８の上端部よりも外側パネル２６のパネル上部３１の上端部が突出した状態で当該パネル上部３１の上端部に重なるように配置されている。つまり、スペーサ２８は、上記のような配置が可能となるような幅寸法Ｄ１を有している。
【００７５】
そして、スペーサ２８の上端面とパネル上部３１の内側面との間の箇所Ｗ１においてスペーサ２８とパネル上部３１とが隅肉溶接されている。また、内側パネル２７の上端部３４ａの上端面とスペーサ２８の内側面との間の箇所Ｗ２において内側パネル２７とスペーサ２８とが隅肉溶接されている。
【００７６】
なお、図６に示すように、スペーサ２８は、スペーサ２８の下端部が開口３３を介して外側に開放された状態で外側パネル２６及び内側パネル２７に接合されている。
【００７７】
上記のように、内側パネル２７のパネル本体３４及び延設部３５、３６が右梁２２の上面２２ａに接合された状態においては、開口３３内にパネル本体３４、延設部３５、３６及び右梁２２により区画されるポケットが形成され、このポケットに雨水等が溜まってしまうおそれがある。
【００７８】
そこで、図６〜図９に示すように、キャブ１２は、外側パネル２６の左縦板１１ｂ側を向く外側面における開口３３の下縁部に接合された被接合部２９ａと、被接合部２９ａの上端から上に向かうに従い内側パネル２７のパネル本体３４に近づく方向に延びるとともに当該パネル本体３４に接触する水除け部２９ｂと、を有する水除け部材２９をさらに備えている。
【００７９】
被接合部２９ａは、開口３３の下縁部における前後方向の全域に亘って延びている。
【００８０】
水除け部２９ｂは、開口３３内で延設部３５、３６間に位置する右梁２２の上面２２ａの前後方向の全域を上から覆っている。
【００８１】
開口３３に直接入り込む雨水等、及び、内側パネル２７のパネル本体３４の外側面を伝って下に流れる雨水等は、水除け部２９ｂに接触し、当該水除け部２９ｂの外側面を伝って被接合部２９ａ、つまり、外側パネル２６の外側まで導かれる。これにより、開口３３内でパネル本体３４、延設部３５、３６及び右梁２２により区画されるポケットに雨水等が溜まるのを防止することができる。
【００８２】
なお、図７及び図８に示すように、内側パネル２７のパネル本体３４の上端部３４ａがスペーサ２８を介して外側パネル２６における開口３３の上縁部３３ｃに接合されている例について説明したが、スペーサ２８を省略することもできる。
【００８３】
具体的に、図１０に示すように、パネル本体３４の上端部３４ａを右側（外側）に屈曲させるとともに開口３３の上縁部３３ｃの内側面に接触させた状態で当該上端部３４ａを上縁部３３ｃに接合することもできる。
【００８４】
反対に、図示は省略するが、外側パネル２６における開口３３の上縁部３３ｃを内側に屈曲させることにより上端部３４ａに接合することもできる。
【００８５】
また、図１０に示すように、延設部３５、３６がパネル本体３４と直交する方向に延びる内側パネル２７について説明したが、延設部３５、３６はパネル本体３４に交差する方向に延びていればよい。
【００８６】
例えば、図１１に示すように、延設部３５、３６は、パネル本体３４との間の角度が鈍角となるようにパネル本体３４から延びていてもよく、図示は省略するが、パネル本体３４との間の角度が鋭角となるようにパネル本体３４から延びていてもよい。
【００８７】
以上説明したように、パネル本体３４と交差する方向に延びる一対の延設部３５、３６の先端面３５ａ、３６ａが外側パネル２６の内側面に接触した状態で当該外側パネル２６に接合されている。そのため、側面パネル１４において連結ピン５ａの第１端部との接触を回避するための窪みとして利用される部分（開口３３を有する部分）を複数方向に延びる面材（パネル本体３４、一対の延設部３５、３６、及び外側パネル２６）によって箱状に形成することができる。したがって、特許文献１に記載のように２枚の平坦なパネルによって窪みとして利用される部分を構成する場合と比較して、側面パネル１４において窪みとして利用される部分の曲げ剛性を向上することができる。
【００８８】
さらに、パネル本体３４及び延設部３５、３６の下端面が右梁２２の上面２２ａに接触した状態で当該右梁２２に接合されていることにより、パネル本体３４と延設部３５、３６との形状を確実に保持することができ、これによっても上述した曲げ剛性の向上効果を高めることができる。
【００８９】
したがって、キャブ１２の側面パネル１４における連結ピン５ａとの接触を避けるための窪みとして利用される部分に十分な曲げ剛性を確保することができる。
【００９０】
前記実施形態によれば、以下の効果を奏することができる。
【００９１】
パネル下部３０及びパネル上部３１と異なる方向に延びる段差部３２がパネル下部３０とパネル上部３１との間に設けられているため、外側パネル２６の曲げ剛性が向上する。
【００９２】
しかも、パネル上部３１はパネル下部３０よりも左縦板１１ｂから離れた位置、つまり、内側パネル２７に近い位置に設けられているため、延設部３５、３６がパネル下部３０の内側面に接合されていることにより当該パネル下部３０から離れて配置されるパネル本体３４の上端部３４ａの外側パネル２６に対する取り付けを容易に行うことができる。
【００９３】
外側パネル２６の段差部３２を、窓１５の下端部を嵌め込む部分として利用することにより、当該窓１５の外側面とパネル下部３０の外側面とを揃えて見栄えを向上することができる。
【００９４】
外側パネル２６における開口３３の下側の部分の曲げ剛性を向上することができるため、側面パネル１４の曲げ剛性をより向上することができる。
【００９５】
右後柱１９の途中部から斜め下向きに延びて支持フレーム１６に接合される右梁２２を採用することにより、当該右梁２２によって右後柱１９の支持フレーム１６に対する傾動を規制することができる。
【００９６】
さらに、開口３３の下端が右梁２２の上面２２ａに沿って延びるような形状を開口３３が有することにより当該開口３３と梁とを近づけることができるため、曲げ剛性で不利となる開口３３付近において外側パネル２６の曲げ剛性を向上することができる。
【００９７】
パネル本体３４、延設部３５、３６、及び右梁２２により区画されるポケットに上方から入り込もうとする雨水等を水除け部２９ｂに沿ってポケットの外側（被接合部２９ａ側）に導くことができる。
【００９８】
なお、本発明は、前記実施形態に限定されるものではなく、例えば、以下の態様を採用することもできる。
【００９９】
第１縦板の一例として左縦板１１ｂを説明したが、キャブ１２が右縦板１１ａの右側に配置される場合、右縦板１１ａが第１縦板として利用される。
【０１００】
右梁２２は下向きに傾斜するものに限定されず、右後柱１９から側面パネル１４に沿って延びて支持フレーム１６に接続されたものであればよい。例えば、右後柱１９から前に延びるとともに屈曲されて下に延びて支持フレーム１６に接続された梁を採用することもできる。
【０１０１】
開口３３の形状は、開口３３の下端が右梁２２の上面２２ａに沿って延びるような形状に限定されない。例えば、開口３３は、開口３３の下端が前後方向に沿って延びるような形状を有していてもよい。
【０１０２】
建設機械は、油圧ショベルに限定されず、クレーン及び解体機でもよく、ハイブリッド式の建設機械でもよい。
【符号の説明】
【０１０３】
１    油圧ショベル（建設機械の一例）
４    アタッチメント
５ａ    連結ピン
１１    ベースフレーム
１１ａ    右縦板（第２縦板の一例）
１１ｂ    左縦板（第１縦板の一例）
１２    キャブ
１４    側面パネル
１５    窓
１６    支持フレーム
１７    右前柱（柱の一例）
１９    右後柱（柱の一例）
２２    右梁（梁の一例）
２２ａ    （右梁の）上面
２６    外側パネル
２７    内側パネル
２７ａ    （パネル本体及び延設部の）下端面
２９    水除け部材
２９ａ    被接合部
２９ｂ    水除け部
３０    パネル下部
３１    パネル上部
３２    段差部
３３  開口
３３ｃ    （開口の）上縁部
３４    パネル本体
３４ａ    （パネル本体の）上端部
３５、３６    延設部
３５ａ、３６ａ    （延設部の）先端面
【図１】
0006332325.tif 000002
【図２】
0006332325.tif 000003
【図３】
0006332325.tif 000004
【図４】
0006332325.tif 000005
【図５】
0006332325.tif 000006
【図６】
0006332325.tif 000007
【図７】
0006332325.tif 000008
【図８】
0006332325.tif 000009
【図９】
0006332325.tif 000010
【図１０】
0006332325.tif 000011
【図１１】
0006332325.tif 000012